(57)【要約】【課題】  本考案は、日傘や雨傘を収納し、肩に掛けたりあるいは腕に掛けて所持することにより、両手の自由度を確保できるようにし且つファッション性も兼備した長傘携帯用傘袋に関するものである。【解決手段】  本考案の傘袋は、防水加工を施した布や合成樹脂等で作られた携帯用傘袋で、傘袋に入れた長傘を安定して携帯できるように傘袋の上部にストッパー８付きの絞りベルト６を取り付け、肩掛け用のベルト４は、腕掛け用のベルト部１０として兼用でき、且つ腕掛けする時にも長傘を安定して保持可能なようにＤ環５を取り付け、雨傘用ビニール袋１５の予備携帯を可能とするために予備ビニール袋収納用ポケット１１を取り付け、更にファッション性の向上のために、傘袋下部に飛び出した雨水１４のたまったビニール袋１５と長傘の石突き部１８を目隠しするミニスカート１３を取り付けるものである。【選択図】図１
0003121622.tif 000002
【実用新案登録請求の範囲】
【請求項１】
防水加工を施した布や合成樹脂等を細長い袋状に形成した、日傘や雨傘などの長傘携帯用傘袋であって、該傘袋本体１は、長傘を挿入する上面開口部２と、挿入した長傘が落下しないように長傘の石突き部の付け根部分を保持可能な大きさの開口面積を有する下部開口部３を有し、該傘袋１の上方に２本以上のベルト通し７により、傘袋内で傘を安定させるためのストッパー８付きの絞りベルト６が装着され、該傘袋本体１に肩掛け用のベルト４が装着されており、該肩掛けベルト４の上部取り付け部４ａの近くに腕掛けして携帯する時に傘袋を安定して保持可能とするＤ環５を取り付け、且つ、Ｄ環５の取り付け部５ａを肩掛けベルトの上部取り付け部４ａよりも下に取り付けたことを特徴とする長傘携帯用傘袋。
【請求項２】
前記傘袋本体１に、雨天時の濡れた雨傘を入れる予備のビニール袋を入れておく収納用ポケット１１と、該傘袋本体１の下部に下部開口部３から飛び出した長傘の石突き部の目隠しとファッション性を兼ね備えたミニスカート１３を具備する請求項１に記載の傘袋。
【考案の詳細な説明】
【技術分野】
【０００１】  本考案は、長傘携帯用の傘袋に関するものである。特に、常時は小さく折りたたんでハンドバックや鞄、ポケット等に収納できるように携帯性を付与し、長傘携帯時は、日傘や雨水に濡れてビニール袋に入れた雨傘等を収納し、肩に掛けたりあるいは腕に掛けて所持することにより、両手の自由度を確保できるようにし且つファッション性も兼備した長傘携帯用傘袋に関するものである。
【背景技術】
【０００２】  従来、この種の傘袋は、実願平４−２５７５８、実願平６−６４８２、特願平７−３１８３８７、実願２００２−６２８０等、諸種のものが提案されている。
【考案の開示】
【考案が解決しようとする課題】
【０００３】  上記従来の傘袋は、下記のような課題がありほとんど普及しない原因となっていた。
課題１．一般に傘袋は上方からの傘の挿入を容易にするために上面開口部２は傘のサイズより相当に大きめに作られている。そのため、傘を入れて肩掛けして持ち歩く場合、傘が袋内で安定せず又見た目もだらっとして見苦しくファッション性に欠ける課題があった。
課題２．肩掛けベルトを腕掛け用ベルトとして使用する場合は、一般に傘の柄の方が重たいため図６のように傘が垂直にならずに横になったり、極端な場合は図７のように柄の部分が真下に向き傘がさかさまになってしまい、使い勝手が良くない課題があった。
課題３．百貨店や大型スーパー等では、入り口に雨傘用のビニール袋が用意されており、雨傘の水で回りの買い物客等に迷惑を掛けないように配慮されている。このビニール袋に入れた傘の携帯性の向上と両手の自由度確保のために肩掛け式の傘袋が使用される。しかし、タクシーや電車に乗ったり、雨傘用のビニール袋の用意していない店舗等へ入る時にはビニール袋がなくて困るという課題があった。
課題４．日傘や、雨降り前に雨傘を手に持って歩くのは手の自由度が奪われて邪魔であり、忘れ物ランクでも常時上位にランクされる傘は手に持ち歩くことが忘れ物になる主因である。見た目も良くファッション性に富み、バックのように身体に付けて長傘を楽に安心してスマートに持ち歩ける携帯用傘袋に対する期待が大きいという課題があった。
【課題を解決するための手段】
【０００４】  本考案は、上記課題を解決するために提案されたものであり、防水加工を施した布や合成樹脂等で作られた携帯用傘袋で、傘袋に入れた長傘を安定して携帯できるように傘袋の上部にストッパー８付きの絞りベルト６を取り付け、肩掛け用のベルト４は、腕掛け用のベルト部１０として兼用でき、且つ腕掛けする時にも長傘を安定して保持可能なようにＤ環５を取り付け、雨傘用ビニール袋１５の予備携帯を可能とするために予備ビニール袋収納用ポケット１１を取り付け、更にファッション性の向上のために、傘袋下部に飛び出した雨水１６のたまったビニール袋１５と長傘の石突き部１８を目隠しするミニスカート１３を取り付けるものである。
【考案の効果】
【０００５】  本考案は、上述のように構成されており、以下の効果が得られる。
１．傘袋上部に絞り用ベルト６を取り付けたことにより、長傘が傘袋内で固定され安定して携帯可能となった。
２．上記のように長傘が傘袋内で安定するため、見た目もすっきりとしてファッション性が向上した。
３．Ｄ環５を使用することで、肩掛け用ベルト４を腕掛け用ベルト部１０として兼用可能で且つＤ環を使用することで傘の重みで傘袋が腕からほぼ垂直にぶら下がりぐらぐらせず安定して携帯することが可能となった。
４．Ｄ環５を肩掛け用ベルト上部取り付け部４ａの下部のＤ環取り付け部５ａに取り付けることで、腕掛け用ベルト１０部のＤ環５部からの取り出しが容易となり、腕掛けが容易に可能となった。
５．雨傘用のビニール袋入れの予備を入れておくための収納ポケット１１を傘袋本体１に取り付けたことにより、どこででも雨傘をビニール袋にいれて長傘携帯用傘袋に収納することが可能となった。
６．傘袋下部にミニスカート１３を取り付けたことにより、傘袋下部から飛び出した長傘の石突き部１８や、雨水１６のたまった石突き部のビニール袋１５の目隠しが可能となり、見た目も良くファッション性が著しく向上した。
７．傘袋下部に長傘の石突き部１８が出る下面開口部３があるため、使用後の雨傘用ビニール袋１５は、ビニール袋の先端に溜まった雨水１６ごと傘袋の下部から手を汚さずに簡単に引き抜き処分することができ、傘を傘袋から取り出すことなく処理可能である。
８．長傘携帯用傘袋のファッション性の向上により、天候に関わらず両手の自由度を確保しながら身体に身に付けて長傘を携帯することが可能になり、傘の忘れ物が大幅に減少することが期待できる。
【考案を実施するための最良の形態】
【実施例】
【０００６】  以下、本考案の一実施例の形態を図１から図８に従って詳述する。図１において１は防水加工を施した布や合成樹脂等を細長い袋状に形成した本考案の長傘携帯用傘袋本体を示す。図１ａにおいて該傘袋本体１は、傘を閉じたときの長傘を挿入することができる大きさの上面開口部２と、挿入した長傘が落下しないように傘の石突き部の付け根部分を保持可能な大きさの開口面積を有する下部開口部３とからなる。該傘袋本体１の上方には、挿入した傘を傘袋内で安定させるための絞りベルト６が取り付けられている。絞りベルト６は絞り位置を安定させるために２本以上のベルト通し７により傘袋本体１に取り付けられ、且つ絞りベルト６には絞りが緩まないようにするためのストッパー８が装着されている。【０００７】  該傘袋本体１には、肩掛け用ベルト４が装着されており、該肩掛け用ベルト４の上部取り付け部４ａの下方に、Ｄ環５が取り付けられている。更に、該傘袋本体１には、タクシーや電車、備え付けのビニール袋のないデパートでも使用可能なように、雨天時に使用する濡れた雨傘を入れるビニール袋１５の予備を収納できる収納ポケット１１がついている。また該傘袋本体１の下部には、下面開口部３から飛び出した傘の石突き部や雨水のたまった雨傘用ビニール袋の先端部分の目隠しと傘袋のファッション性を兼ね備えたミニスカート１３がある。更に、肩掛けベルト４を使用しない時に肩掛けベルト４が地面に垂れ下がるのを防ぐために、該肩掛けベルト４を該傘袋本体１に止めておくためのゆるみ止めホック９が肩掛けベルト４及び傘袋本体１に取り付けられている。【０００８】  図１ｂは、本考案の実施例として腕掛け使用時を示したものであり、腕掛け用ベルト部１０は、肩掛けベルト４をＤ環５の上方へ引き出して腕掛け可能な部分を構成可能としている。Ｄ環５については、同様の機能を有する環状の部品であればいずれであってもよい。【０００９】  図２は、本考案の一実施例の傘袋下部の拡大断面図を示している。図２ａは、日傘や、雨が降る前などの長傘の携帯時の状態で雨用のビニール袋を使用しない時の拡大断面図であり、長傘の石突き部１８の付け根部分が傘袋本体下面開口部３の部分で長傘の石突き部突きぬけ防止絞り部１２により傘が保持され、突き出した長傘の石突き部１８が傘袋本体１の下部に設けられたミニスカート１３によりほぼ目隠しされている状態を示している。傘袋全体は、上部の絞りベルト６の効果もあり、傘袋下部のミニスカートとあいまって全体的にファッショナブルな雰囲気を感じさせる効果が出ている。図２ｂは、雨傘用ビニール袋１５を使用した時の拡大断面図であり、雨傘用ビニール袋１５の先端部に雨水１６が溜まった状態を示している。この溜まった雨水１６は、雨傘用ビニール袋１５を傘袋の下方へ引き抜くことにより、傘を傘袋から取り出さずに容易に処理することが可能である。【００１０】  図３は、本考案の傘袋にビニール袋に入れた雨傘を収納して肩掛けしている状態を示している。図のように本考案の傘袋の使用により両手の自由度が確保された状態で長傘の携帯が可能である。図４ａは、本考案の傘袋を腕掛けして使用している状態を示しているが、Ｄ環５の使用により、傘の重みで傘袋１が腕からほぼ��直にぶら下がり、ぐらぐらせずに安定して携帯することが可能となる効果が得られる。図４ｂは、腕掛け用ベルト部１０を肩掛けに使用した例を示している。【００１１】  図５は肩掛けベルト４とＤ環５の取り付け部の拡大図を示しており、図５ａは肩掛け使用時の、図５ｂは腕掛け使用時の拡大図である。図５ａに示すようにＤ環５の取り付け部５ａは、肩掛けベルト４の上部取り付け部４ａの下方に取り付けられているため、図１ｂに示すように肩掛けベルト４をＤ環５の上方に引き出し、兼用の腕掛け用ベルト部１０を形成することが容易になる効果をもたらしている。【００１２】  なお、図８には本考案の携帯用傘袋のみを携帯する場合の傘袋の形状を示している。携帯用傘袋のみを携帯する場合は、傘袋本体を下からくるくると巻き上げ、上まで来たら上部をひっくり返して巻き上げ部に被せることで図８のような握りこぶし大のいなり寿司のようなコンパクトな形状となるので、ハンドバックや鞄の中に入れて容易に携帯が可能である。
【図面の簡単な説明】
【００１３】
【図１】本考案の一実施例  ａ．肩掛け使用時の斜面図。  ｂ．腕掛け使用時の斜面図。
【図２】本考案の一実施例の傘袋下部の拡大図。  ａ．雨用のビニール袋を使用しないの時の拡大図。  ｂ．雨用のビニール袋使用時の拡大図
【図３】図１ａの傘袋を肩掛け使用している状態を示す斜面図。
【図４】図１ｂの傘袋を使用している状態を示す斜面図。  ａ．腕掛け使用している状態を示す斜面図  ｂ．肩掛け使用している状態を示す斜面図
【図５】肩掛けベルト４とＤ環５取り付け部の拡大図。  ａ．肩掛け使用時の肩掛けベルトとＤ環の取り付け部の拡大図。  ｂ．腕掛け使用時の腕掛けベルト部とＤ環の取り付け部の拡大図。
【図６】従来（Ｄ環なしの時）の腕掛け時で傘が横向きになった状態の斜面図。
【図７】従来（Ｄ環なしの時）の腕掛け時で傘が逆さまになった状態の斜面図
【図８】本考案の傘袋を携帯する時の折りたたみ状態の斜面図。
【符号の説明】
【００１４】  １  傘袋本体
２  傘袋本体上面開口部
３  傘袋本体下面開口部
４  肩掛け用ベルト
４ａ  肩掛け用ベルト上部取り付け部
４ｂ  肩掛け用ベルト下部取り付け部
５  Ｄ環
５ａ  Ｄ環取り付け部
６  絞りベルト
７  絞りベルト用ベルト通し
８  絞りベルト用ストッパー
９  肩掛けベルトたるみ止めホック
１０  腕掛け用ベルト部（４兼用）
１１  収納用ポケット
１２  長傘の石突き部突き抜け防止絞り部
１３  ミニスカート
１４  長傘
１５  雨傘用ビニール袋
１６  雨水
１７  腕
１８  長傘の石突き部
【図１】
0003121622.tif 000003
【図２】
0003121622.tif 000004
【図３】
0003121622.tif 000005
【図４】
0003121622.tif 000006
【図５】
0003121622.tif 000007
【図６】
0003121622.tif 000008
【図７】
0003121622.tif 000009
【図８】
0003121622.tif 000010